(57)【特許請求の範囲】
【請求項１】
屋根上面の傾斜方向に設置し後記ガード部を支持するための支持部と、該支持部上端部に着脱自在に固定され、屋根板の折込み縁を挟持することにより屋根に固定され、該支持部を屋根に固定するための挟持固定手段と、該支持部に横架連結され屋根上作業者の屋根からの滑落を防止するためのガード部と、からなり、該支持部およびこれに固定される該挟持固定手段は少なくとも二基備えられ、該支持部は屋根上面に沿って設置される基礎フレームと、該基礎フレームに蝶着され該ガード部を横架支持するための縦フレームからなり、また該支持部は該基礎フレームと該縦フレームの成す角の角度を鋭角の範囲内で調節することのできる角度調節手段を有し、該ガード部は、蝶着手段により蝶着された該縦フレーム上に蝶着手段により蝶着された横ガード材横架手段と、これに着脱自在に横架連結可能な一または複数の横ガード材とからなり、該挟持固定手段は、該挟持固定手段を該基礎フレームに固定するためのホルダーと、屋根の折込み縁を側面から圧着保持するための二枚の保持板と、該保持板を押圧して外側から挟持し折込み縁に圧着させるための挟持部とを備えてなることを特徴とする屋根上作業用滑落防止システム。
【請求項２】
前記持固定手段には、前記挟持部を作動させるために、該挟持部と連結された押しレバーとを備えてなることを特徴とする、請求項１に記載の屋根上作業用滑落防止システム。
【請求項３】
屋根上面の傾斜方向に設置し後記ガード部を支持するための支持部と、該支持部上端部に着脱自在に固定され、屋根の傾斜方向下方に向けて形成されている屋根板の折込み縁を上下方向から挟持することにより屋根に固定され、該支持部を屋根に固定するための挟持固定手段と、該支持部に横架連結され屋根上作業者の屋根からの滑落を防止するためのガード部と、からなり、該支持部およびこれに固定される該挟持固定手段は少なくとも二基備えられ、該支持部は屋根上面に沿って設置される基礎フレームと、該基礎フレームに蝶着され該ガード部を横架支持するための縦フレームからなり、また該支持部は該基礎フレームと該縦フレームの成す角の角度を鋭角の範囲内で調節することのできる角度調節手段を有し、該ガード部は、少なくとも該支持部の各基礎フレームにそれぞれ設けられた縦フレーム間に横架連結される一または複数の着脱自在な横ガード材からなり、蝶着手段により蝶着された該縦フレーム上に蝶着手段により蝶着された横ガード材横架手段と、これに着脱自在に横架連結可能な一または複数の横ガード材とからなり、該挟持固定手段は、基板と、該基板に固設されており該挟持固定手段を該基礎フレームに固定するためのホルダーと、該基板と螺着されており屋根の折込み縁を上方から押圧し該基板とともに折込み縁を挟持するための保持板と、該保持板を押圧するための挟持部と、該挟持部が固設され該挟持部を偏心カム様に作動させるための押しレバーとを備えてなることを特徴とする屋根上作業用滑落防止システム。
【発明の詳細な説明】
【０００１】
【発明の属する技術分野】
本発明は屋根上作業用滑落防止システムに関し、特に、積雪地帯における屋根の除雪、テレビ等のアンテナ設置、屋根の補修作業、屋根板等の塗装、等の作業を屋根上で行う作業者が、屋根から滑落することを防止するための屋根上作業用滑落防止システムに関する。
【０００２】
【従来の技術】
積雪地帯における屋根の除雪、テレビ等のアンテナ設置、屋根の補修作業、屋根板等の塗装、等の作業は、人命に関わる危険な作業であり、係る作業の安全を図るための技術が求められている。
【０００３】
従来、この種の作業のための安全確保手段として、特開２０００−１６０７９２号公法に開示された技術がある。これは、「屋根棟部に取り付けられ、命綱の一端を固定する命綱固定手段を備えた屋根用命綱固定手段であって、屋根棟部の両側に跨って配設される略山形の左側片と、右側片からなる板状本体と、左、右側片に摺動自在に挿入されて取り付けられる左右一対のスライド板からなり、スライド板が棟部屋根構成部材の裏面側に差し込んで引っ掛ける差込部を備えているもの」であり、屋根全体の本格的な補修作業や、命綱固定手段が必要となる長時間に亘る作業における安全確保を図るものである。
【０００４】
しかしこの方法では、装置が大掛かりであり、設置から撤去までの作業が複雑化し、迅速性にも問題があった。そのため、前述した屋根の除雪、テレビ等のアンテナ設置、屋根の補修作業、屋根板等の塗装等のような、簡単な、あるいは局部的な屋根上作業には適さないものであり、このような屋根上作業において簡便かつ迅速に作業者の安全を確保できる技術が求められていた。
【０００５】
【発明が解決しようとする課題】
本発明の課題は、上記従来技術の欠点を除き、簡便かつ迅速に設置および撤去ができ、局部的な屋根上作業においても用いることのできる、簡易な構成による屋根上作業用滑落防止システムを提供することである。
【０００６】
【課題を解決するための手段】
本願発明者は上記課題について鋭意検討した結果、屋根板の折込み縁を挟持する固定手段を基礎として滑落防止構造を構成することができることを見出し、本発明に至った。すなわち、上記課題を解決するための手段として本願で特許請求される発明もしくは少なくとも開示される発明は、以下のとおりである。
【０００７】
（ｉ）屋根上面の傾斜方向に設置し後記ガード部を支持するための支持部と、該支持部上端部に着脱自在に固定され、屋根板の折込み縁を挟持することにより屋根に固定され、該支持部を屋根に固定するための挟持固定手段と、該支持部に横架連結され屋根上作業者の屋根からの滑落を防止するためのガード部と、からなることを特徴とする屋根上作業用滑落防止システム。
（ｉｉ）前記支持部およびこれに固定される前記挟持固定手段を少なくとも二基備え、前記支持部は屋根上面に沿って設置される基礎フレームと、該基礎フレームに蝶着され前記ガード部を横架支持するための縦フレームからなり、前記ガード部が、少なくとも該支持部の各基礎フレームにそれぞれ設けられた縦フレーム間に横架連結される一または複数の着脱自在な横ガード材からなり、該支持部は該基礎フレームと該縦フレームの成す角の角度を鋭角の範囲内で調節することのできる角度調節手段を有することを特徴とする、（ｉ）の屋根上作業用滑落防止システム。
（ｉｉｉ）備える前記支持部および前記挟持固定手段の数が二基であり、前記ガード部を構成する横ガード材の数が二であることを特徴とする、（ｉｉ）の屋根上作業用滑落防止システム。
【０００８】
（１）  屋根上面の傾斜方向に設置し後記ガード部を支持するための支持部と、該支持部上端部に着脱自在に固定され、屋根板の折込み縁を挟持することにより屋根に固定され、該支持部を屋根に固定するための挟持固定手段と、該支持部に横架連結され屋根上作業者の屋根からの滑落を防止するためのガード部と、からなり、該支持部およびこれに固定される該挟持固定手段は少なくとも二基備えられ、該支持部は屋根上面に沿って設置される基礎フレームと、該基礎フレームに蝶着され該ガード部を横架支持するための縦フレームからなり、また該支持部は該基礎フレームと該縦フレームの成す角の角度を鋭角の範囲内で調節することのできる角度調節手段を有し、該ガード部は、蝶着手段により蝶着された該縦フレーム上に蝶着手段により蝶着された横ガード材横架手段と、これに着脱自在に横架連結可能な一または複数の横ガード材とからなり、該挟持固定手段は、該挟持固定手段を該基礎フレームに固定するためのホルダーと、屋根の折込み縁を側面から圧着保持するための二枚の保持板と、該保持板を押圧して外側から挟持し折込み縁に圧着させるための挟持部とを備えてなることを特徴とする屋根上作業用滑落防止システム。
（２）  前記持固定手段には、前記挟持部を作動させるために、該挟持部と連結された押しレバーとを備えてなることを特徴とする、（１）に記載の屋根上作業用滑落防止システム。
【０００９】
（３）  屋根上面の傾斜方向に設置し後記ガード部を支持するための支持部と、該支持部上端部に着脱自在に固定され、屋根の傾斜方向下方に向けて形成されている屋根板の折込み縁を上下方向から挟持することにより屋根に固定され、該支持部を屋根に固定するための挟持固定手段と、該支持部に横架連結され屋根上作業者の屋根からの滑落を防止するためのガード部と、からなり、該支持部およびこれに固定される該挟持固定手段は少なくとも二基備えられ、該支持部は屋根上面に沿って設置される基礎フレームと、該基礎フレームに蝶着され該ガード部を横架支持するための縦フレームからなり、また該支持部は該基礎フレームと該縦フレームの成す角の角度を鋭角の範囲内で調節することのできる角度調節手段を有し、該ガード部は、少なくとも該支持部の各基礎フレームにそれぞれ設けられた縦フレーム間に横架連結される一または複数の着脱自在な横ガード材からなり、蝶着手段により蝶着された該縦フレーム上に蝶着手段により蝶着された横ガード材横架手段と、これに着脱自在に横架連結可能な一または複数の横ガード材とからなり、該挟持固定手段は、基板と、該基板に固設されており該挟持固定手段を該基礎フレームに固定するためのホルダーと、該基板と螺着されており屋根の折込み縁を上方から押圧し該基板とともに折込み縁を挟持するための保持板と、該保持板を押圧するための挟持部と、該挟持部が固設され該挟持部を偏心カム様に作動させるための押しレバーとを備えてなることを特徴とする屋根上作業用滑落防止システム。
【００１０】
【発明の実施の形態】
【構成】
以下、本発明を図面により詳細に説明する。
図１は、本発明の屋根上作業用滑落防止システムの一例を示す斜視図である。図において本システムは、屋根上面の傾斜方向に設置しガード部（横ガード材１７、１８）を支持するための、基礎フレーム９と縦フレーム１０から主として構成される支持部３０と、該支持部３０を屋根上面に固定するために該支持部３０の該基礎フレーム９上端部に着脱自在に固定され、屋根板の折込み縁を挟持することにより屋根に固定される挟持固定手段１と、該支持部３０に着脱自在に固定され屋根上作業者の屋根からの滑落を防止するための横ガード材１７、１８からなるガード部と、から主として構成される。図１は、支持部３０およびこれに固定される前記挟持固定手段１がそれぞれ二基設けられた例であるが、本発明はこれらの設けられた数によって限定されるものではない。
【００１１】
図において本システムが適用されている屋根は屋根上面をトタン材によって瓦棒葺きにしたものであり、葺いたトタン材間の接合部は、屋根の傾斜方向に沿って折り込まれた部分二箇所と、その二箇所間に設けられた平面状の上面部とにより断面が凸状に形成された折込み縁１９となっている。
【００１２】
図において該支持部３０は、屋根上面に沿って設置され該挟持固定手段１と連結固定されることによって該支持部３０全体を屋根上に固定するための基礎フレーム９と、該基礎フレーム９に蝶番１２等の蝶着手段を介して蝶着され該ガード部（横ガード材１７、１８）を横架支持するための縦フレーム１０と、から主として構成される。上述の通り、図において、該支持部は二基設けられている。
【００１３】
該支持部３０の縦フレーム１０には、横ガード材１７を横架連結するための横ガード材横架手段１５が設けられ、また基礎フレーム９には、横ガード材１８を横架連結するための横ガード材横架手段１６を設けることができる。図において、該縦フレーム１０に設けられた該横ガード材横架手段は一基であるが、本発明は設けられる該横ガード材横架手段の数によって限定されるものではない。
【００１４】
該横ガード材横架手段１５等としては、たとえばパイプ材を用いることができる。
【００１５】
該支持部３０には、これを構成する基礎フレーム９と縦フレーム１０が成す角の角度を鋭角の範囲内で調節することのできる角度調節手段１１を設けることができる。該角度調節手段としては、たとえば、角度固定用穴を選択することにより屋根の傾斜角等に応じて一定の角度を選択できる調整リンク材を用いることができる。上述の通り、図において、該角度調節手段は二基設けられている。
【００１６】
図において該ガード部は、該縦フレーム１０、１０Ｂにそれぞれ設けられた横ガード材横架手段１５、１５Ｂに横架連結された着脱自在な横ガード材１７と、該基礎フレーム９、９Ｂにそれぞれ設けられた横ガード材横架手段１６、１６Ｂに横架連結された着脱自在な横ガード材１８と、から主として構成される。図１は、横ガード材が二本設けられた例（１７、１８）であるが、本発明は設けられる横ガード材の数によって限定されない。
【００１７】
該横ガード材１７、１８は、それぞれ、たとえば押しネジ１４、２１等を締め込む等の方法により、該縦フレーム１０、１０Ｂや、該基礎フレーム９、９Ｂに固定保持される。
【００１８】
該挟持固定手段１は、該挟持固定手段１を該基礎フレーム９に固定するためのホルダー２と、前記屋根の折込み縁１９を側面から圧着保持するための二枚の保持板５、５’（図示せず）と、該保持板５、５’を外側から挟持し折込み縁１９に圧着させるための挟持部４と、該挟持部４を作動させるための該挟持部４と連結された押しレバー３と、から主として構成される。挟持固定手段１Ｂも同様に構成される。
【００１９】
【作用】
図１において、本発明の屋根上作業用滑落防止システムでは、支持部３０の基礎フレーム９は、トタン材瓦棒葺きとした屋根上面の凸状の折込み縁１９を被覆するように設置され、該基礎フレーム９の上端部には着脱自在に固定される挟持固定手段１が固定され、該挟持固定手段１により折込み縁１９は圧着挟持され、これにより該挟持固定手段１が屋根に固定されることによって、該基礎フレーム９は屋根上面に固定される。同様にして、基礎フレーム９Ｂが折込み縁１９に設置され、挟持固定手段１Ｂが該基礎フレーム９Ｂに固定され、かつ屋根に固定される。
【００２０】
該基礎フレーム９、９Ｂに蝶番１２、１２Ｂ等の蝶着手段により蝶着された該縦フレーム１０、１０Ｂ上の横ガード材横架手段１５、１５Ｂには、着脱自在の横ガード材１７が横架連結され、一方該基礎フレーム９、９Ｂ上の横ガード材横架手段１６、１６Ｂには、同様に着脱自在の横ガード材１８が横架連結され、各横ガード材１７、１８は、押しネジ１４、２１等により各横ガード材横架手段１５等に固定される。
【００２１】
該基礎フレーム９、９Ｂにそれぞれ蝶着された該縦フレーム１０、１０Ｂは、該角度調節手段１１、１１Ｂによって基礎フレーム９、９Ｂとの間でそれぞれ成す角の角度が鋭角の範囲内で調節され、これにより該縦フレーム１０等が屋根上面に対して成す角の角度が調節され、該縦フレーム１０等に横架連結された横ガード材１７からなるガード部の、屋根上面からの設置高が調節される。
【００２２】
本システムは上述した構成および作用を有するため、屋根上作業者は、必要基数の支持部３０および挟持固定手段１、およびガード部を構成するための横ガード材１７等からなる本システムを、屋根上に運搬し、傾斜した屋根の上面に本システムを設置して、屋根からの滑落を防止する手段とすることができる。該支持部３０および該挟持固定手段１の基数は一でもよいが、複数用いることによって、よりシステムの作用を安定化させ、滑落防止の効果を高めることができる。また、横ガード材の数を複数とすることにより、さらに滑落防止の効果を高めることができる。また、該角度調節手段１１、１１Ｂにより、いかなる勾配の屋根でもガード部を鉛直方向に支持することができ、滑落防止効果を高めることができる。
【００２３】
【構成】
図２は、図１の該挟持固定手段１の斜視図である。図において該挟持固定手段１は、該手段１の各構成部分を固設するための基板６と、該基板６表面上にこれに沿って固設設置され該挟持固定手段１を該支持部３０の基礎フレーム９に固定するためのホルダー２と、該ホルダー２を該基礎フレーム９に固着させるための押しネジ２０と、該基板６に固設され後記保持板５および図示しない５’を蝶着するための蝶着手段１３および図示しない１３’と、該蝶着手段１３、１３’に固設され前記屋根の折込み縁１９を側面から圧着保持するための開閉自在の二枚のＬ字状の保持板５および図示しない５’と、該基板６に固設された支点構造２７およびこれに設けられ後記押しレバー３の作動の支点となるピン７と、該ピン７を介して設けられ該ピン７を支点として上下動し後記挟持部４を作動させるための押しレバー３と、連結構造８を介して該押しレバー３に固設された、該蝶着手段１３および１３’を通して該保持板５、５’を外側から挟持し、折込み縁１９の両側面に圧着させるための挟持部４と、から構成される。挟持固定手段１Ｂも同様に構成される。
【００２４】
該Ｌ字状の保持板５、５’は、Ｌ字の底辺に当たる部分の先端部が屋根の折込み縁１９の側面に圧着されるよう、内側に向けられた状態で、該蝶着手段１３、１３’に固設される。また、該挟持部４における二箇所の挟持作用部分間の距離は、該保持板５、５’をその外側から挟持した際に、該保持板５、５’のＬ字の底辺に当たる部分の先端部が折込み縁１９の側面に対して押圧し得るような距離に設定される。
【００２５】
【作用】
図２において、ホルダー２は支持部３０の基礎フレーム９上端部に着脱自在に設けられ、押しネジ２０により該基礎フレーム９に固着され、基板６は屋根の折込み縁１９上面に載置される。蝶着手段１３、１３’に固設された保持板５、５’は、折込み縁１９の両側面に沿って下垂される。押しレバー３を図２の状態から下方に向けて押動すると、挟持部４により該保持板５、５’が折込み縁１９側面に押圧され、該保持板５、５’は折込み縁１９側面に圧着保持され、挟持固定手段１全体、および基礎フレーム９を介してこれに連結された該支持部３０が、屋根に固定される。
【００２６】
図３は、図２のIII−III矢視断面説明図であり、本システムの作用を説明した図である。図において押しレバー３を下方に向けて押動（矢印Ｄ）すると、挟持部４により該保持板５、５’のＬ字の底辺に当たる爪状の部分が押圧され、該爪状の部分の先端部が折込み縁１９側面に押圧され（矢印Ｐ）、該保持板５、５’は折込み縁１９側面に圧着保持される。折込み縁１９の上面部に載置された基板６は、該保持板５、５’により折込み縁１９の側面が押圧されてもこれを内側から支えるため、折込み縁１９は圧壊しない。
【００２７】
【実施例】
以下、他の実施例を図面により詳細に説明する。
【００２８】
【実施例１】
図４は、屋根上面が縦平葺き法により構成されている場合に用いられる、本発明の屋根上作業用滑落防止システムの挟持固定手段３１を示す斜視図である。屋根の折込み縁２２は、単純接合により鍔状に形成されている。本例では、挟持固定手段３１の基板３６は、折込み縁２２の側面に添設されるように押しレバー３３の作動平面と平行な平面上に設けられ、その側面においてホルダー３２が固設されている。
【００２９】
固定された該基板３６の下半部は折込み縁２２側面に添設されるよう湾曲している。該基板３６には蝶着手段４３を介して一枚のみ開閉自在の保持板３５が設けられ、該保持板３５の下半部も該基板３６同様湾曲している。係る挟持固定手段３１の構成により、縦平葺き法による鍔状の折込み縁が挟持され、本システムを屋根上に固定することができる。
【００３０】
図５は、図４のＶ−Ｖ矢視断面説明図であり、本実施例の作用を説明した図である。図において、基板３６を折込み縁２２の折込み側側面に固定し、押しレバー３３を下方に向けて押動（矢印Ｄ）すると、挟持部３４により該保持板３５の爪状の部分が押圧され、該爪状の部分の先端部が折込み縁２２側面に押圧され（矢印Ｐ）、該保持板３５および該基板３６は折込み縁２２側面に圧着保持される。
【００３１】
【実施例２】
図６は、屋根上面がトタン板を平面状に折込んで形成され、屋根の傾斜方向下方に向けて折込み縁が形成されている場合に用いられる、本発明の屋根上作業用滑落防止システムの挟持固定手段５１を示す斜視図である。本例では、挟持固定手段５１の基板５６は、その裏面が屋根板上に載置されるように各部分が固設される。ホルダー５２は、該基板５６の表面に沿って固設されている。
【００３２】
該基板５６の左右両側端に計二基立設された支点構造６７および図示しない６７’には、挟持部５４の作用の支点となるピン５７および図示しないピン５７’が設けられている。該ピン５７、５７’は、押しレバー５３に固設された該挟持部５４が偏心カム様に作動するように、該挟持部５４の中央からずれた位置において該挟持部５４と連結するように設けられている。
【００３３】
該基板５６上には蝶着手段６３を介して一枚の保持板５５が蝶着されている。該保持板５５の先端部は、図示しない折込み縁の挟持を確実にするために、食い込み角が設けられる。他方、該基板５６の先端部５５’にも、図示しない折込み縁とその下に葺かれた屋根板との間隙に該先端部５５’を挿入し、折込み縁の挟持を確実にするために、同様の食い込み角が設けられている。
【００３４】
図７は、本実施例の側面図であり、本実施例の作用を説明した図である。図において、  押しレバー５３の押動（矢印Ｄ）により挟持部５４は偏心カム様に作動して保持板５５上面を押圧し、押圧された該保持板５５はトタン板７０により形成されている折込み縁を圧着し（矢印Ｐ）、折込み縁は、その下部に挿入された基板５６先端部５５’、および該保持板５５とにより挟持され、本システムを屋根上に固定することができる。
【００３５】
【発明の効果】
本発明の屋根上作業用滑落防止システムによれば、上述のように構成されているため、簡便かつ迅速に設置および撤去ができ、局部的な屋根上作業においても用いることのできる簡易な構成のシステムにより、屋根上作業時における作業者の滑落を防止することができる。
【００３６】
また本発明によれば、屋根の葺き方に応じた挟持固定手段のアタッチメントを備えることにより、いかなる葺き方の屋根であってもアタッチメントの交換のみで本システムを設置し、屋根上作業時における作業者の滑落を防止することができる。
【００３７】
さらに本発明によれば、縦フレームの角度調節手段を設けたため、いかなる勾配の屋根でも、ガード部を鉛直方向に支持することができ、滑落防止効果を高めることができる。
【図面の簡単な説明】
【図１】本発明の屋根上作業用滑落防止システムの一例を示す斜視図。
【図２】図１の該挟持固定手段１を示す斜視図。
【図３】図２のIII−III矢視断面説明図。
【図４】本システムの挟持固定手段３１を示す斜視図。
【図５】図４のＶ−Ｖ矢視断面説明図。
【図６】本システムの挟持固定手段５１を示す斜視図。
【図７】図６の側面説明図。
【符号の説明】
１、１Ｂ、３１、５１…挟持固定手段、  ２、３２、５２…ホルダー、  ３、３３、５３…押しレバー、  ４、３４、５４…挟持部、  ５、３５、５５…保持板、  ６、３６、５６…基板、  ７、３７、５７…ピン、  ８…連結構造、  ９、９Ｂ…基礎フレーム、  １０、１０Ｂ…縦フレーム、  １１、１１Ｂ…角度調節手段、  １２、１２Ｂ…蝶着手段（縦フレーム）、  １３、４３、６３…蝶着手段（保持板）、  １４、２１、４０、６０…押しネジ、  １５、１５Ｂ、１６、１６Ｂ…横ガード材横架手段、  １７、１８…横ガード材、  １９、２２…屋根の折込み縁、  ２７…支点構造、  ３０…支持部、  ５５’…基板５６の先端部、  ７０…トタン板、  Ｄ…押しレバー作動方向、  Ｐ…保持板作動方向
【図１】
0003916917.tif 000002
【図２】
0003916917.tif 000003
【図３】
0003916917.tif 000004
【図４】
0003916917.tif 000005
【図５】
0003916917.tif 000006
【図６】
0003916917.tif 000007
【図７】
0003916917.tif 000008